(57)【特許請求の範囲】
【請求項１】
少なくとも、エコ状態とアクティブ状態との間で遷移することが可能なユーザ端末デバイスを操作するための方法であって、
前記ユーザ端末デバイスのためのダウンリンクデータがあるという通知メッセージを、前記ユーザ端末デバイスによってモニタリングされるデータダウンリンクチャネル上で受信する段階であって、前記通知メッセージは、前記エコ状態から前記アクティブ状態への前記ユーザ端末デバイスの遷移を指示し、前記通知メッセージは、前記ユーザ端末デバイスの識別子を含む、段階と、
前記エコ状態から前記アクティブ状態に遷移する段階と、を備え、
前記ユーザ端末デバイスは、前記アクティブ状態および前記エコ状態の両方において、ダウンリンクグラントフリー伝送についてモニタリングすること、及び／又は、前記アクティブ状態および前記エコ状態の両方において、アップリンクグラントフリー伝送を送信すること、が可能である、方法。
【請求項２】
前記エコ状態から前記アクティブ状態に遷移する前記段階は、
ＵＥ中心シーケンスをネットワークデバイスへ伝送する段階、
前記エコ状態から前記アクティブ状態への前記遷移を確認する応答を前記ネットワークデバイスから受信する段階、および、
前記エコ状態から前記アクティブ状態に遷移する段階
を含む、請求項１に記載の方法。
【請求項３】
前記通知メッセージはページングメッセージである、請求項２に記載の方法。
【請求項４】
前記ＵＥ中心シーケンスは、前記ユーザ端末デバイスに一意に割り当てられたＺａｄｏｆｆ−Ｃｈｕシーケンスである、請求項２に記載の方法。
【請求項５】
前記ユーザ端末デバイスの前記識別子は、ユーザ端末専用接続識別子（ＵＥ  ＤＣＩＤ）である、請求項１に記載の方法。
【請求項６】
前記ＵＥ  ＤＣＩＤは、ユーザ端末識別子および論理エンティティ識別子の組み合わせである、請求項５に記載の方法。
【請求項７】
前記ユーザ端末デバイスの前記識別子は、ユーザ端末識別子（ＵＥ  ＩＤ）である、請求項１に記載の方法。
【請求項８】
前記アクティブ状態にある間に前記ダウンリンクデータを受信する段階をさらに備える、請求項１に記載の方法。
【請求項９】
前記アクティブ状態にある間に、前記ユーザ端末デバイスから、サウンディングチャネルリソース割り当てを使用してユーザ端末サウンディング参照信号を伝送する段階と、
前記エコ状態にある間に、前記ユーザ端末デバイスから、アップリンクトラッキングチャネルリソース割り当てを使用してユーザ端末識別シーケンスを伝送する段階と、をさらに備え、
前記ユーザ端末識別シーケンスの周期的な伝送は、前記ユーザ端末サウンディング参照信号の周期的な伝送よりも、少ない無線ネットワークリソースを使用する、請求項１から８のいずれか１項に記載の方法。
【請求項１０】
ネットワークデバイスによって、前記ユーザ端末デバイスに前記通知メッセージを伝送する段階をさらに備える、請求項１から９のいずれか１項に記載の方法。
【請求項１１】
無線ネットワークにおいて動作するユーザ端末デバイスであって、
命令を含むメモリストレージと、
前記メモリストレージと通信する１または複数のプロセッサと
を備え、
前記１または複数のプロセッサは、前記命令を実行し、前記命令は、
前記ユーザ端末デバイスについてのダウンリンクデータがあるという通知メッセージを、前記ユーザ端末デバイスによってモニタリングされるデータダウンリンクチャネル上で受信することであって、前記通知メッセージは、エコ状態からアクティブ状態への前記ユーザ端末デバイスの遷移を指示し、前記通知メッセージは、前記ユーザ端末デバイスの識別子を含む、受信すること、および、
前記エコ状態から前記アクティブ状態に遷移すること
を含み、
前記ユーザ端末デバイスは、前記アクティブ状態および前記エコ状態の両方において、ダウンリンクグラントフリー伝送についてモニタリングすること、及び／又は、前記アクティブ状態および前記エコ状態の両方において、アップリンクグラントフリー伝送を送信すること、が可能である、ユーザ端末デバイス。
【請求項１２】
前記命令は、
ＵＥ中心シーケンスをネットワークデバイスへ伝送する命令と、
前記エコ状態から前記アクティブ状態への前記遷移を確認する応答を前記ネットワークデバイスから受信する命令と、
前記エコ状態から前記アクティブ状態へ遷移する命令と
を含む、請求項１１に記載のユーザ端末デバイス。
【請求項１３】
前記通知メッセージはページングメッセージである、請求項１２に記載のユーザ端末デバイス。
【請求項１４】
前記ＵＥ中心シーケンスは、前記ユーザ端末デバイスに一意に割り当てられたＺａｄｏｆｆ−Ｃｈｕシーケンスである、請求項１２に記載のユーザ端末デバイス。
【請求項１５】
前記ユーザ端末デバイスの前記識別子は、ユーザ端末専用接続識別子（ＵＥ  ＤＣＩＤ）である、請求項１１に記載のユーザ端末デバイス。
【請求項１６】
前記ＵＥ  ＤＣＩＤは、ユーザ端末識別子および論理エンティティ識別子の組み合わせである、請求項１５に記載のユーザ端末デバイス。
【請求項１７】
前記ユーザ端末デバイスの前記識別子は、ユーザ端末識別子（ＵＥ  ＩＤ）である、請求項１１に記載のユーザ端末デバイス。
【請求項１８】
前記命令は、前記アクティブ状態にある間に前記ダウンリンクデータを受信する命令を含む、請求項１１に記載のユーザ端末デバイス。
【請求項１９】
前記命令は、
前記ユーザ端末デバイスが前記アクティブ状態にある間に、サウンディングチャネルリソース割り当てを使用してユーザ端末サウンディング参照信号を伝送する命令と、
前記ユーザ端末デバイスが前記エコ状態にある間に、アップリンクトラッキングチャネルリソース割り当てを使用してユーザ端末識別シーケンスを伝送する命令と、をさらに含み、
前記ユーザ端末識別シーケンスの周期的な伝送は、前記ユーザ端末サウンディング参照信号の周期的な伝送よりも、少ない無線ネットワークリソースを使用する、請求項１１から１８のいずれか１項に記載のユーザ端末デバイス。
【請求項２０】
請求項１１から１９のいずれか１項に記載のユーザ端末デバイスと、前記ユーザ端末デバイスに前記通知メッセージを伝送するネットワークノードとを備えるシステム。
【請求項２１】
ネットワーク要素を操作するための方法であって、
ユーザ端末デバイスのためのダウンリンクデータがあるという通知メッセージを、データダウンリンクチャネル上で、エコ状態にあるユーザ端末デバイスへ送信する段階であって、前記通知メッセージは、前記エコ状態からアクティブ状態への前記ユーザ端末デバイスの遷移を指示し、前記通知メッセージは、前記ユーザ端末デバイスの識別子を含む、段階と、
前記ユーザ端末デバイスを前記エコ状態から前記アクティブ状態に遷移させる段階と
を備え、
前記アクティブ状態および前記エコ状態の両方において、前記ユーザ端末デバイスへダウンリンクグラントフリー伝送を送信する段階、及び／又は、前記アクティブ状態および前記エコ状態の両方において、アップリンクグラントフリー伝送を前記ユーザ端末デバイスから受信する段階、さらに備える、方法。
【請求項２２】
前記ユーザ端末デバイスを前記エコ状態から前記アクティブ状態に遷移させる前記段階は、
ＵＥ中心シーケンスを前記ユーザ端末デバイスから受信する段階と、
前記エコ状態から前記アクティブ状態への前記遷移を確認する応答を前記ユーザ端末デバイスへ伝送する段階と、
前記ユーザ端末デバイスを前記エコ状態から前記アクティブ状態に遷移させる段階と
を備える、請求項２１に記載の方法。
【請求項２３】
前記通知メッセージは、ページングメッセージである、請求項２２に記載の方法。
【請求項２４】
前記ＵＥ中心シーケンスは、前記ユーザ端末デバイスに一意に割り当てられるＺａｄｏｆｆ−Ｃｈｕシーケンスである、請求項２２に記載の方法。
【請求項２５】
前記ユーザ端末デバイスの前記識別子は、ユーザ端末専用接続識別子（ＵＥ  ＤＣＩＤ）である、請求項２１に記載の方法。
【請求項２６】
前記ＵＥ  ＤＣＩＤは、ユーザ端末識別子および論理エンティティ識別子の組み合わせである、請求項２５に記載の方法。
【請求項２７】
前記ユーザ端末デバイスの前記識別子は、ユーザ端末識別子（ＵＥ  ＩＤ）である、請求項２１に記載の方法。
【請求項２８】
前記ダウンリンクデータを、前記アクティブ状態にある前記ユーザ端末デバイスへ送信する段階をさらに備える、請求項２１に記載の方法。
【請求項２９】
前記アクティブ状態にある前記ユーザ端末デバイスから、サウンディングチャネルリソース割り当てを使用してユーザ端末サウンディング参照信号を受信する段階と、
前記エコ状態にある前記ユーザ端末デバイスから、アップリンクトラッキングチャネルリソース割り当てを使用してユーザ端末識別シーケンスを受信する段階と、をさらに備え、
前記ユーザ端末識別シーケンスの周期的な伝送は、前記ユーザ端末サウンディング参照信号の周期的な伝送よりも、少ない無線ネットワークリソースを使用する、請求項２１から２８のいずれか１項に記載の方法。
【請求項３０】
前記ユーザ端末デバイスによって前記通知メッセージを受信する段階をさらに備える、請求項２１から２９のいずれか１項に記載の方法。
【請求項３１】
命令を含むメモリストレージと、
前記メモリストレージと通信する１または複数のプロセッサであって、前記１または複数のプロセッサは、
ユーザ端末デバイスのためのダウンリンクデータがあるという通知メッセージを、エコ状態にある前記ユーザ端末デバイスへ、データダウンリンクチャネル上で送信する命令であって、前記通知メッセージは、前記エコ状態からアクティブ状態への前記ユーザ端末デバイスの遷移を指示し、前記通知メッセージは、前記ユーザ端末デバイスの識別子を含む、命令と、
前記ユーザ端末デバイスを前記エコ状態から前記アクティブ状態に遷移させる命令と
を含む命令を実行する、１または複数のプロセッサと
を備え、
前記命令は、前記アクティブ状態および前記エコ状態の両方において、ダウンリンクグラントフリー伝送を前記ユーザ端末デバイスへ送信する命令、及び／又は、前記アクティブ状態および前記エコ状態の両方において、前記ユーザ端末デバイスからアップリンクグラントフリー伝送を受信する命令、を含む、ネットワーク要素。
【請求項３２】
前記命令は、
ＵＥ中心シーケンスを前記ユーザ端末デバイスから受信する命令と、
前記エコ状態から前記アクティブ状態への前記遷移を確認する応答を前記ユーザ端末デバイスへ伝送する命令と、
前記ユーザ端末デバイスを前記エコ状態から前記アクティブ状態に遷移させる命令と
を含む、請求項３１に記載のネットワーク要素。
【請求項３３】
前記通知メッセージはページングメッセージである、請求項３２に記載のネットワーク要素。
【請求項３４】
前記ＵＥ中心シーケンスは、前記ユーザ端末デバイスに一意に割り当てられるＺａｄｏｆｆ−Ｃｈｕシーケンスである、請求項３２に記載のネットワーク要素。
【請求項３５】
前記ユーザ端末デバイスの前記識別子は、ユーザ端末専用接続識別子（ＵＥ  ＤＣＩＤ）である、請求項３１に記載のネットワーク要素。
【請求項３６】
前記ＵＥ  ＤＣＩＤは、ユーザ端末識別子および論理エンティティ識別子の組み合わせである、請求項３５に記載のネットワーク要素。
【請求項３７】
前記ユーザ端末デバイスの前記識別子は、ユーザ端末識別子（ＵＥ  ＩＤ）である、請求項３１に記載のネットワーク要素。
【請求項３８】
前記命令は、前記アクティブ状態において、前記ダウンリンクデータを前記ユーザ端末デバイスへ送信する命令を含む、請求項３１に記載のネットワーク要素。
【請求項３９】
前記命令は、
前記アクティブ状態にある前記ユーザ端末デバイスから、サウンディングチャネルリソース割り当てを使用してユーザ端末サウンディング参照信号を受信する命令と、
前記エコ状態にある前記ユーザ端末デバイスから、アップリンクトラッキングチャネルリソース割り当てを使用してユーザ端末識別シーケンスを受信する命令と、を含み、
前記ユーザ端末識別シーケンスの周期的な伝送は、前記ユーザ端末サウンディング参照信号の周期的な伝送よりも、少ない無線ネットワークリソースを使用する、請求項３１から３８のいずれか１項に記載のネットワーク要素。
【請求項４０】
請求項３１から３９のいずれか１項に記載のネットワーク要素と、前記ネットワーク要素から前記通知メッセージを受信するユーザ端末デバイスとを備えるシステム。
【発明の詳細な説明】
【技術分野】
【０００１】
［関連出願］
本出願は、２０１５年５月２９日に出願された、米国仮特許出願第ＵＳ６２／１６８，６５８号に対する優先権の利益を主張する、２０１６年５月２６日に出願された、米国特許出願第１５／１６５，９８５号に対する優先権の利益を主張し、そのすべての内容は、参照によって本明細書に組み込まれる。
【０００２】
本開示は、無線通信のためのシステムおよび方法に関し、特に、ユーザ端末中心無線アクセス手順のためのシステムおよび方法に関する。
【背景技術】
【０００３】
一般的に、モバイルユーザ端末（ＵＥ）をサポートする無線ネットワークは、本質的にはセルラーである。無線ネットワークの無線アクセスネットワーク（ＲＡＮ）は、カバレージセルまたはセルとしても知られている、対応するカバレージエリアを各々が有する複数の基地局を使用して、ＵＥに無線アクセスを提供する。各基地局は、対応するセルの中にあるＵＥの通信をサポートする。各ＵＥには、局所的に一意である、セル固有のＩＤが割り当てられる。セル中心ネットワークの性能は、セル間の干渉、および、セル全体にわたるスペクトル効率の不均一性などの要因によって制限される。
【発明の概要】
【０００４】
無線ネットワークは、ユーザ端末（ＵＥ）中心リソース割り当てのために、従来のセル境界を取り除く無線アクセス仮想化（ＲＡＶ）を利用し得る。ＲＡＶは、異なるＵＥ動作状態において異なる手順を使用する多くの異なるコンポーネントを含み得る。様々なＵＥ状態における選択されたＲＡＶ手順をサポートするための例示的実施形態が本明細書において説明される。例示的実施形態において、ＵＥを操作するための方法およびシステムが説明され、ここでは、第１セットの無線アクセス手順は、ＵＥが第１動作状態にあるときにサポートされ、第２セットの無線アクセス手順は、ＵＥが第２動作状態にあるときにサポートされる。１つの例示的な態様によれば、少なくとも、第１セットの無線アクセス手順をサポートする第１動作状態と、第２セットの無線アクセス手順をサポートする第２動作状態との間で遷移することが可能なユーザ端末デバイスを操作するための方法が提供される。方法は、ユーザ端末デバイスが第１動作状態にある間に使用するための第１セットの無線アクセスパラメータ、および、ユーザ端末デバイスが第２動作状態にある間に使用するための第２セットの無線アクセスパラメータを確立するために、ユーザ端末デバイスが第１動作状態にある間に初期アクセス手順を実行する段階を備える。方法はさらに、第１動作状態から第２動作状態に遷移する段階と、第２セットの無線アクセスパラメータを使用して伝送する段階とを備える。
【０００５】
いくつかの例示的な構成において、第１および第２セットの無線アクセスパラメータを確立する段階は、ユーザ端末デバイスにおいて、第１および第２セットの無線アクセスパラメータを無線ネットワークエンティティから受信する段階を有する。いくつかの例において、無線アクセスパラメータは、第１動作状態および第２動作状態の両方においてユーザ端末デバイスが使用するためのユーザ端末識別子を含む。いくつかの構成において、第１セットの無線アクセスパラメータは、ユーザ端末デバイスのための、ユーザ端末サウンディング参照信号、および、サウンディングチャネルリソース割り当てを含み、第２セットの無線アクセスパラメータは、ユーザ端末デバイスのための、ユーザ端末識別シーケンスおよびアップリンクトラッキングチャネルリソース割り当てを含む。
【０００６】
いくつかの例において、方法は、第１動作状態にある間に、サウンディングチャネルリソース割り当てを使用して、ユーザ端末デバイスからユーザ端末サウンディング参照信号を周期的に伝送する段階と、第２動作状態にある間に、アップリンクトラッキングチャネルリソース割り当てを使用して、ユーザ端末デバイスからユーザ端末識別シーケンスを伝送する段階とを備える。いくつかの構成において、ユーザ端末識別シーケンスの周期的な伝送は、ユーザ端末サウンディング参照信号の周期的な伝送より、必要な無線ネットワークリソースが少ない。
【０００７】
いくつかの例において、方法は、第１動作状態および第２動作状態の両方において、ダウンリンクグラントフリー伝送について、ユーザ端末デバイスにおいてモニタリングする段階を備える。いくつかの例において、方法は、第１動作状態および第２動作状態の両方において、アップリンクグラントフリー伝送をユーザ端末デバイスから送信する段階を備える。
【０００８】
いくつかの例において、方法は、ユーザ端末デバイスにおいて、第２動作状態から第１動作状態への、ユーザ端末デバイスの遷移を要求する、ユーザ端末デバイスのためのダウンリンクデータがあるというメッセージを、ユーザ端末デバイスによってモニタリングされるデータダウンリンクチャネル上で受信すると、第２動作状態から第１動作状態に遷移する段階と、その後、第１動作状態にある間に、ダウンリンクデータを受信する段階とを備える。いくつかの例において、メッセージは、ユーザ端末デバイスのための識別子を含むユニキャストメッセージと、状態遷移が必要であることを示すフラグとを有する。
【０００９】
いくつかの例示的な態様において、無線ネットワークにおいて動作するためのユーザ端末デバイスは、上述の方法を実行するように構成される。例えば、一態様は、無線ネットワークにおいて動作するためのユーザ端末デバイスを提供し、ユーザ端末デバイスは、無線ネットワークを通して無線周波数信号を送信および受信するための無線ネットワークインタフェースと、無線ネットワークインタフェースに結合されたプロセッサと、プロセッサに結合されたメモリとを備える。メモリは、プロセッサによって実行されるときに、ユーザ端末デバイスに、予め定められたイベントが発生すると、第１セットの無線アクセス手順をサポートする第１動作状態と、第２セットの無線アクセス手順をサポートする第２動作状態との間で遷移すること、および、第１動作状態にある間にユーザ端末デバイスが使用するための第１セットの無線アクセスパラメータと、第２動作状態にある間にユーザ端末デバイスが使用するための第２セットの無線アクセスパラメータを確立するために、ユーザ端末デバイスが第１動作状態にある間に、初期アクセス手順を実行することを可能にする実行可能命令を記憶する。
【００１０】
いくつかの態様において、ユーザ端末デバイスは、ユーザ端末デバイスにおいて、無線ネットワークを通してネットワークエンティティからネットワークアクセスパラメータを受信することによって、第１および第２セットの無線アクセスパラメータを確立するように構成される。いくつかの態様において、無線アクセスパラメータは、第１動作状態および第２動作状態の両方においてユーザ端末デバイスが使用するためのユーザ端末識別子を含む。いくつかの構成において、第１セットの無線アクセスパラメータは、ユーザ端末デバイスのための、ユーザ端末サウンディング参照信号、および、サウンディングチャネルリソース割り当てを含み、第２セットの無線アクセスパラメータは、ユーザ端末デバイスのための、ユーザ端末識別シーケンスおよびアップリンクトラッキングチャネルリソース割り当てを含む。
【００１１】
いくつかの例において、ユーザ端末デバイスは、第１動作状態にある間に、サウンディングチャネルリソース割り当てを使用して、ユーザ端末サウンディング参照信号をユーザ端末デバイスから周期的に伝送するように、および、第２動作状態にある間に、アップリンクトラッキングチャネルリソース割り当てを使用して、ユーザ端末識別シーケンスをユーザ端末デバイスから周期的に伝送するように構成される。ユーザ端末識別シーケンスの周期的な伝送は、ユーザ端末サウンディング参照信号の周期的な伝送より、必要な無線ネットワークリソースが少ない。
【００１２】
いくつかの例において、ユーザ端末デバイスは、第２動作状態ではなく第１動作状態においてサウンディングチャネルリソース割り当てを使用してユーザ端末サウンディング参照信号を送信することによって、第１動作状態および第２動作状態の両方において、無線ネットワークインタフェースを通して常時オンの接続を提供するように、第２動作状態にある間に、アップリンクトラッキングチャネルリソース割り当てを使用してユーザ端末識別シーケンスを送信するように、第１動作状態および第２動作状態の両方において、予め定義された閾値未満のデータについて、グラントフリーのアップリンクおよびダウンリンク伝送をサポートするように、ならびに、第２動作状態にある間に、第１動作状態への遷移の指示について、ダウンリンクデータ通知チャネルをモニタリングするように構成される。
【００１３】
いくつかの例示的な態様によれば、無線ネットワークにおいて動作するためのネットワーク要素が提供される。ネットワーク要素は、１または複数のユーザ端末デバイスとの間で無線ネットワークを通して無線周波数信号を送信および受信するための無線ネットワークインタフェースと、無線ネットワークインタフェースに結合されたプロセッサと、プロセッサに結合されたメモリとを備える。メモリは、プロセッサによって実行されるときに、ネットワーク要素が、第１動作状態において動作しているユーザ端末デバイスにネットワークアクセスパラメータを提供するために初期アクセス手順を実行することを可能にする、実行可能命令を記憶する。ネットワークアクセスパラメータは、第２動作状態にある間にユーザ端末デバイスが使用するためのユーザ端末識別シーケンスおよびアップリンクトラッキングチャネルリソース割り当てと、第１動作状態にある間にユーザ端末デバイスが使用するためのユーザ端末サウンディング参照信号およびサウンディングチャネルリソース割り当てとを含む。
【図面の簡単な説明】
【００１４】
ここでは、例として、本開示の例示的実施形態を示す添付図面を参照する。
【００１５】
【図１】例示的実施形態に係るＵＥ中心無線通信システムの例を示す。
【００１６】
【図２】例示的実施形態に係る、種々のユーザ端末の動作状態、ならびに、それらの状態に関連する機能および手順を示すブロック図である。
【００１７】
【図３】例示的実施形態に係る、アクティブ状態においてサポートされる初期アクセス手順の例を示すブロック図である。
【００１８】
【図４】複数の動作状態における、アップリンク（ＵＬ）グラントフリー伝送のための、ネットワークコントローラによって可能となる、ネットワーク側の動作の例を示すブロック図である。
【００１９】
【図５】複数の動作状態における、ＵＬグラントフリー伝送のための、ユーザ端末（ＵＥ）によって実行される動作の例を示すブロック図である。
【００２０】
【図６】複数の動作状態における、ダウンリンク（ＤＬ）グラントフリー伝送のための、ネットワークコントローラによって可能となる、ネットワーク側の動作の例を示すブロック図である。
【００２１】
【図７】複数の動作状態における、ＤＬグラントフリー伝送のための、ＵＥによって実行される動作の例を示すブロック図である。
【００２２】
【図８】第１動作状態における、アップリンク通信のための、ＵＥによって実行されるＵＥ機能の例を示すブロック図である。
【００２３】
【図９】第１動作状態における、ダウンリンク通信のための、ＵＥによって実行されるＵＥ機能の例を示すブロック図である。
【００２４】
【図１０】第１動作状態において、ＵＥのために実行されるネットワーク指向測定手順の例を示すブロック図である。
【００２５】
【図１１】ＵＥについての、ネットワークによって開始される、第２（エコ）状態から第１（アクティブ）状態への遷移手順の例を示すブロック図である。
【００２６】
【図１２】ＵＥによって開始される、第２（エコ）状態から第１（アクティブ）状態への遷移手順の例を示すブロック図である。
【００２７】
【図１３】ＵＥ第１（アクティブ）状態からＵＥ第２（エコ）状態への移行のための状態遷移手順の例を示すブロック図である。
【００２８】
【図１４】ＵＥが第２（エコ）状態にあるときに実行されるＵＥトラッキング手順の例を示すブロック図である。
【００２９】
【図１５】ＵＥが第２（エコ）状態にあるときに実行されるＤＬデータ通知手順の例を示すブロック図である。
【００３０】
【図１６Ａ】電源オフによる登録解除手順を示すブロック図を示す。
【００３１】
【図１６Ｂ】登録タイマ満了による登録解除手順を示すブロック図を示す。
【００３２】
【図１７】例示的実施形態に係る、図１のシステムにおけるデバイスを実装するために使用され得る処理システムのブロック図である。
【００３３】
同様の参照番号は、異なる図において、同様のコンポーネントを示すために使用され得る。
【発明を実施するための形態】
【００３４】
図１は、本明細書において説明される無線アクセス手順が適用され得る無線通信ネットワーク１００を示す。ＵＥ中心通信ネットワークを実装するためのシステムおよび方法論は、例えば、以下の文書の開示において見つけることができ、その内容は、本明細書において参照によって組み込まれる。（１）「Ｓｙｓｔｅｍ  ａｎｄ  Ｍｅｔｈｏｄ  ｆｏｒ  Ｎｏｎ−ｃｅｌｌｕｌａｒ  Ｗｉｒｅｌｅｓｓ  Ａｃｃｅｓｓ」と題する、２０１４年１１月２１日に出願された米国特許出願第１４／５５０，３６２号（公開番号ＵＳ２０１５／０１４１００２  Ａ１）、（２）「Ｓｙｓｔｅｍ  ａｎｄ  Ｍｅｔｈｏｄ  ｆｏｒ  Ｒａｄｉｏ  Ａｃｃｅｓｓ  Ｖｉｒｔｕａｌｉｚａｔｉｏｎ」と題する、２０１３年８月２３日に出願された米国特許出願第１３  ／９７４，８１０号（公開番号ＵＳ２０１４／０１１３６４３  Ａ１）、（３）「Ｓｙｓｔｅｍ  ａｎｄ  Ｍｅｔｈｏｄ  ｆｏｒ  Ｎｅｔｗｏｒｋ  Ｕｐｌｉｎｋ  Ｍｅａｓｕｒｅｍｅｎｔ  Ｂａｓｅｄ  Ｏｐｅｒａｔｉｏｎ  Ｕｓｉｎｇ  ＵＥ  Ｃｅｎｔｒｉｃ  Ｓｏｕｎｄｉｎｇ」と題する、２０１３年６月２８日に出願された米国特許出願第１３／９３０，９０８号（公開番号ＵＳ２０１５／０００３２６３  Ａ１）、（４）「Ｓｙｓｔｅｍ  ａｎｄ  Ｍｅｔｈｏｄ  ｆｏｒ  Ａｌｗａｙｓ  Ｏｎ  Ｃｏｎｎｅｃｔｉｏｎｓ  ｉｎ  Ｗｉｒｅｌｅｓｓ  Ｃｏｍｍｕｎｉｃａｔｉｏｎｓ  Ｓｙｓｔｅｍ」と題する、２０１４年１月８日に出願された米国特許出願第１４／１５０，５３９号（公開番号ＵＳ２０１５／０１９５７８８  Ａ１）、（５）「Ｓｙｓｔｅｍ  ａｎｄ  Ｍｅｔｈｏｄ  ｆｏｒ  ａ  Ｔｒａｃｋｉｎｇ  Ｃｈａｎｎｅｌ」と題する、２０１５年４月１日に出願された米国特許出願第６２／１４１，４８３号、および、２０１６年１月２８日に出願された米国特許出願第１５／００９，６２６号、（６）「Ｓｙｓｔｅｍ  Ａｎｄ  Ｍｅｔｈｏｄ  Ｆｏｒ  Ｕｓｅｒ  Ｅｑｕｉｐｍｅｎｔ  Ｃｅｎｔｒｉｃ  Ｕｎｉｆｉｅｄ  Ｓｙｓｔｅｍ  Ａｃｃｅｓｓ  Ｉｎ  Ｖｉｒｔｕａｌ  Ｒａｄｉｏ  Ａｃｃｅｓｓ  Ｎｅｔｗｏｒｋ」と題する、２０１２年９月１０日に出願された米国特許出願第１３／６０８，６５３号（公開番号ＵＳ２０１４００７３２８７  Ａ１）、（７）「Ａｐｐａｒａｔｕｓ  Ａｎｄ  Ｍｅｔｈｏｄ  Ｆｏｒ  ａ  Ｗｉｒｅｌｅｓｓ  Ｄｅｖｉｃｅ  Ｔｏ  Ｒｅｃｅｉｖｅ  Ｄａｔａ  ｉｎ  ａｎ  Ｅｃｏ  Ｓｔａｔｅ」と題する、２０１５年１月３０日に出願された米国特許出願第１４／６０９，７０７号、（８）「Ｓｙｓｔｅｍ  ａｎｄ  Ｍｅｔｈｏｄ  ｆｏｒ  Ｓｍａｌｌ  Ｔｒａｆｆｉｃ  Ｔｒａｎｓｍｉｓｓｉｏｎｓ」と題する、２０１３年６月６日に出願された米国特許出願第１３／９１１，７１６号（公開番号ＵＳ２０１４／０１９２７６７  Ａ１）、（９）「Ｓｙｓｔｅｍ  ａｎｄ  Ｍｅｔｈｏｄ  ｆｏｒ  Ｕｐｌｉｎｋ  Ｇｒａｎｔ−Ｆｒｅｅ  Ｔｒａｎｓｍｉｓｓｉｏｎ  Ｓｃｈｅｍｅ」と題する、２０１３年３月８日に出願された米国特許出願第ＵＳ１３／７９０，６７３号（公開番号ＵＳ  ２０１４／０２５４５４４  Ａ１）。
【００３５】
上記の文書に説明されているように、例示的実施形態において、ＵＥ中心無線通信ネットワーク１００は、ユーザ端末（ＵＥ）デバイスに関連付けられたユーザ端末専用接続ＩＤ（ＵＥ  ＤＣＩＤ）を中心にしてネットワーク通信を編成する。これに関連して、無線通信ネットワーク１００は、非セルラベースの無線アクセスをサポートするために、エアインタフェース設計を利用する。
【００３６】
例示的実施形態において、図１の無線通信ネットワーク１００は、複数の伝送受信ポイント（ＴＲＰ）１０２およびＵＥ１０４、ならびに、ＴＲＰ１０２と通信するクラウドプロセッサまたはコントローラ１０６を備える。ＴＲＰ１０２は、ＵＥ１０４とのアップリンクおよび／またはダウンリンク接続を確立することによって無線アクセスを提供できる、ベーストランシーバ基地局（ＢＴＳ）、ＮｏｄｅＢ、進化型ＮｏｄｅＢ（ｅＮｏｄｅＢまたはｅＮＢ）、フェムトセル、および他の無線対応ネットワークノードデバイスなどの任意のコンポーネントを含み得る。ＵＥ１０４は、ＴＲＰ１０２との無線接続を確立できる任意のコンポーネントを備え得る。ＴＲＰ１０２は、バックホールネットワーク（不図示）を介してコントローラ１０６に接続され得る。バックホールネットワークは、ＴＲＰ１０２とコントローラ１０６および／またはリモートエンド（不図示）との間でデータを交換することを可能にする任意のコンポーネントまたはコンポーネントの集合であり得る。いくつかの実施形態において、無線通信ネットワーク１００は、リレー、フェムトセルなど、様々な他の無線デバイスを備え得る。コントローラ１０６は、以下に開示される処理を実行できる、および、他のデバイスと通信できる、任意の種類のデータ処理システムであり得る。
【００３７】
無線通信ネットワーク１００の一例において、ＴＲＰ１０２は、セルに関連付けられていない。むしろ、コントローラ１０６は、ＴＲＰ１０２を論理エンティティ１１０に編成する。各ＵＥ１０４は、論理エンティティ１１０に割り当てられ、一意のＵＥ専用接続ＩＤ（ＵＥ  ＤＣＩＤ）を割り当てられる。実施形態において、ＵＥ１０４は、携帯電話、センサ、スマートフォン、または他の無線デバイスであり得る。ＵＥ１０４は、新しいＵＥ  ＤＣＩＤを取得することなく、単一の論理エンティティ１１０のサービスエリア内で自由に移動し得る。各ＴＲＰ１０２は、ＴＲＰ１０２によって検出可能な任意のＵＥ１０４についての信号強度をモニタリングし、このデータをコントローラ１０６へ送信する。コントローラ１０６は、論理エンティティ１１０のメンバーシップの作成および管理の両方を行い得る。ＵＥ１０４が最初にネットワークに接続されるとき、コントローラ１０６は、論理エンティティ１１０を作成し、一組のＴＲＰ１０２を論理エンティティ１１０に割り当て得る。この割り当ては、受信された、ＴＲＰ１０２におけるＵＥ伝送の強度の測定に従って実行され得る。ネットワークにおける状況が変化するとき、または、ＵＥがネットワークの中を移動するとき、コントローラ１０６は、論理エンティティ１１０のメンバーシップを修正し得る。この判定は、いくつかの実施形態において、動的に実行され得る。いくつかの例において、コントローラ１０６は、ＵＥ１０４が割り当てられる論理エンティティＩＤ、およびＵＥ１０４のユーザ端末識別子（ＵＥ  ＩＤ）に従って、論理エンティティＩＤを論理エンティティ１１０に割り当て、ＵＥ  ＤＣＩＤを各ＵＥ１０４に割り当てる。いくつかの実施形態において、ＵＥ  ＩＤは、例えば、ＵＥデバイスが製造されるとき、または、ネットワークオペレータに供給されるとき、または、ユーザに割り当てられるとき、恒久的または半恒久的にデバイスに割り当てられる一意の識別子である。いくつかの例において、ＵＥ  ＤＣＩＤは、ＵＥ  ＩＤおよび論理エンティティＩＤの組み合わせである。
【００３８】
ＵＥ  ＤＣＩＤは、伝送のとき、ＵＥ１０４によって使用され、また、受信するときにも使用され得る。いくつかの例において、コントローラ１０６は、無線アクセスをＵＥ１０４に提供するために、論理エンティティ１１０において、ＴＲＰ１０２のグループから１または複数のＴＲＰ１０２を選択する。実施形態において、コントローラ１０６は、論理エンティティ１１０におけるＴＲＰ１０２の各々での、ＵＥ１０４の相対的な信号強度、および／または、論理エンティティ１１０における各ＴＲＰ１０２の負荷に基づいてＴＲＰ１０２を選択する。他の実施形態において、他の選択基準が利用され得る。実施形態において、コントローラ１０６は、論理エンティティ１１０における各ＴＲＰ１０２での、ＵＥ１０４の信号強度の変化に基づいてＵＥ１０４にサービスを提供するべく、論理エンティティ１１０において新しいＴＲＰ１０２を動的に再び割り当てる。信号強度の変化は、ＵＥの移動性または他の要因に起因し得る。
【００３９】
実施形態において、コントローラ１０６は、カバーされるすべてのＵＥ１０４に提供されるサービス品質と省エネルギー基準との間のトレードオフに達するために、１または複数のＴＲＰ１０２の論理エンティティ１１０への参加を可能または不可能にし得る。
【００４０】
実施形態において、論理エンティティ１１０に割り当てられたＴＲＰ１０２は、ネットワーク状況の変化に従って、コントローラ１０６によって動的に変更され得る。 
【００４１】
例示的実施形態において、無線通信ネットワーク１００は、ＵＥ１０４のための種々の動作状態をサポートするように構成され、各動作状態は、異なるＵＥ機能をサポートする。これに関連して、図２は、種々のＵＥ１０４の動作状態および機能、ならびに、例示的実施形態に係るそれらの状態に関連する機能および手順を示すブロック図である。特に、一例において、ＵＥ１０４は、２つの異なる状態、すなわち、第１の「アクティブ」状態２０４と、省エネルギーである第２の「エコ」状態２０２との間で遷移し得るステートマシン２００を実装するように構成される。例示的実施形態において、アクティブ状態と比較すると、エコ状態２０２では、サポートされるＵＥ機能のセットが少ない。ＵＥ１０４が無線通信ネットワーク１００への常時オンの接続を維持するように、両方の状態において、少なくとも、無線通信ネットワーク１００へのある程度の接続がサポートされる。ＵＥ１０４上でのステートマシン２００の実装の例は、公開番号第ＵＳ２０１５／０１９５７８８  Ａ１号の「Ｓｙｓｔｅｍ  ａｎｄ  Ｍｅｔｈｏｄ  ｆｏｒ  Ａｌｗａｙｓ  Ｏｎ  Ｃｏｎｎｅｃｔｉｏｎｓ  ｉｎ  Ｗｉｒｅｌｅｓｓ  Ｃｏｍｍｕｎｉｃａｔｉｏｎｓ  Ｓｙｓｔｅｍ」と題する、および、米国特許出願第１４／６０９，７０７号の「Ａｐｐａｒａｔｕｓ  Ａｎｄ  Ｍｅｔｈｏｄ  Ｆｏｒ  ａ  Ｗｉｒｅｌｅｓｓ  Ｄｅｖｉｃｅ  Ｔｏ  Ｒｅｃｅｉｖｅ  Ｄａｔａ  ｉｎ  ａｎ  Ｅｃｏ  Ｓｔａｔｅ」と題する上述の文書において詳細に説明される。例示的実施形態において、２つより多くの動作状態がサポートされ得て、各状態は、異なるレベルのデバイス機能を提供し、異なるレベルのネットワークリソースを必要とする。
【００４２】
図２の例において、本明細書ではアクティブ手順２０８と呼ばれる、第１セットの無線またはネットワークアクセス機能または手順は、アクティブ状態２０４においてサポートされ、本明細書ではエコ手順２０６と呼ばれる、第２セットの無線またはネットワークアクセス機能または手順は、エコ状態２０２においてサポートされる。以下でより詳細に説明されるように、少なくともいくつかの実施形態において、いくつかの共通手順２０７が両方の状態においてサポートされる。しかしながら、いくつかの手順は、アクティブ状態２０４またはエコ状態２０２のうちの一方または他方に限定される。さらに、図２に示される手順は、いずれかの状態においてサポートされるすべての機能の包括的リストではない。
【００４３】
示されている実施形態において、以下のアクティブ手順２０８は、アクティブ状態２０４のみにおいてサポートされる。
初期アクセス手順２１０
計画的伝送手順２１４
ネットワーク指向測定手順２１６
【００４４】
示されている実施形態において、以下のエコ手順２０６は、エコ状態２０２のみにおいてサポートされる。
ダウンリンク（ＤＬ）データ通知手順２２４
トラッキング手順２２２
【００４５】
示されている実施形態において、以下の共通の手順２０７は、アクティブ状態２０４およびエコ状態２０２の両方においてサポートされる。
グラントフリー伝送手順２１２
登録解除手順２２６
【００４６】
示されている実施形態において、以下の手順は、アクティブ状態２０４とエコ状態２０１との間の遷移を可能にする。
エコ‐アクティブ手順２１８
アクティブ‐エコ手順２２０
【００４７】
上の手順の各々は、図３から１６を参照して、より詳細に説明される。
【００４８】
図３は、アクティブ状態２０４において、ＵＥ１０４によってサポートされる初期アクセス手順２１０の例を示す。初期アクセス手順２１０は、ＵＥ１０４が無線通信ネットワーク１００との接続を確立することを試みているとき、例えば、ＵＥ１０４が起動されるときに実行される。初期アクセス手順２１０は、様々な動作状態においてＵＥ１０４によって使用されるネットワークアクセスパラメータのセットを確立するために使用される。適切な初期アクセス手順の態様は、上述の文書において詳細に説明される（例えば、「Ｓｙｓｔｅｍ  ａｎｄ  Ｍｅｔｈｏｄ  ｆｏｒ  Ｎｏｎ−ｃｅｌｌｕｌａｒ  Ｗｉｒｅｌｅｓｓ  Ａｃｃｅｓｓ」と題する、２０１４年１１月２１に出願された米国特許出願第１４／５５０，３６２号（公開番号ＵＳ  ２０１５／０１４１００２  Ａ１）、および、「Ｓｙｓｔｅｍ  ａｎｄ  Ｍｅｔｈｏｄ  ｆｏｒ  Ｒａｄｉｏ  Ａｃｃｅｓｓ  Ｖｉｒｔｕａｌｉｚａｔｉｏｎ」と題する、２０１３年８月２３日に出願された米国特許出願第１３／９７４，８１０号（公開番号ＵＳ  ２０１４／０１１３６４３  Ａ１）を参照されたい。）従って、図３および付属する説明は、大まかな概要を提供する。
【００４９】
図３において示されるように、初期アクセス手順２１０は、ＵＥ１０４がＴＲＰ１０２（ハイパーセルＩＤ）に関連する同期信号を検索する動作（動作３００）と、ＵＥ１０４が予め定義されたデフォルトのフレーム構造を介して無線通信ネットワーク１００にアクセスする動作（動作３０２）と、ＵＥ１０４が同期（ｓｙｎｃ）チャネルを介してＤＬ同期を獲得する動作（動作３０３）と、ＵＥ１０４が初期アクセスのために物理ランダムアクセスチャネル（ＰＲＡＣＨ）を使用する動作（動作３０４）と、ネットワークがＵＥ１０４を認証し、ＵＥ専用接続ＩＤ（ＵＥ  ＤＣＩＤ）を割り当てる動作とを含む。より具体的には、動作３００から３０３に関して、例示的実施形態において、論理エンティティ１１０に割り当てられた１または複数のＴＲＰ１０２は、予め定義された時間および周波数（ｔ／ｆ）リソースおよびフレーム構造を使用して同期チャネルにおいてＤＬ同期信号を伝送する。ＵＥ１０４は、その初期アクセス手順の一部として、同期信号を検索する。ＵＥ１０４は、予め定義されたｔ／ｆリソースにおいて、予め定義されたフレーム構造を含む同期信号を検索し得る。同期が確立された後に、ＵＥ１０４は、論理エンティティ１１０とＤＬタイミングおよび周波数同期を確立し、論理エンティティ１１０のためのＩＤを獲得し得る。この情報によって、ＵＥ１０４は、ＵＥ１０４がＵＬシーケンスを論理エンティティ１１０へ伝送するために、正確なＰＲＡＣＨ  ｔ／ｆリソースを判定することが可能になる。論理エンティティは、ＵＥ１０４へのＵＬタイミング調整コマンドに応答し得て、これにより、ネットワークとのＵＬ同期が確立されることが可能になる（動作３０４）。ＤＬおよびＵＬ同期が一旦確立されると、ネットワークコントローラ１０６は、ＵＥ１０４を認証して、（ａ）ＵＥ専用接続ＩＤ（ＵＥ  ＤＣＩＤ２４０）、（ｂ）特定のＺａｄｏｆｆ−Ｃｈｕシーケンスなど、ＵＥがトラッキングチャネルにおける低リソースシグナリングのために伝送し得る、一意に割り当てられたＩＤシーケンスである、関連するＵＥ中心シーケンス（ＵＥ  ＳＥＱ２４２）、（ｃ）ＵＥのためのトラッキングチャネルのためのアップリンク（ＵＬ）時間／周波数（ｔ／ｆ）リソース割り当て（ＵＥ  ＴＣ  Ｔ／Ｆ２４４）、ならびに（ｄ）ＵＬサウンディングチャネルのためのＵＥ中心サウンディング参照信号（ＵＥ  ＳＲＳ２４６）およびアップリンク（ＵＬ）時間／周波数リソース割り当てを含むサウンディングリソース（ＵＥ  ＳＣ  Ｔ／Ｆ２４８）を割り当て得る。ＵＥ  ＳＲＳ２４６は、ＵＬサウンディングチャネル時間／周波数リソース割り当てＵＥ  ＳＣ  Ｔ／Ｆ２４８を使用して、ＵＬサウンディングチャネルにおいて測定情報をネットワークに提供するためのシグナリングのためにＵＥが伝送し得る識別信号である。 
【００５０】
初期アクセス手順２１０の結果、ＵＥ１０４にハイパーセルＩＤ（すなわち、論理エンティティ１１０のためのＩＤ）、ＵＥ専用接続ＩＤ（ＵＥ  ＤＣＩＤ２４０）、ＵＥ中心シーケンス（ＵＥ  ＳＥＱ２４２）、アップリンクトラッキングリソース割り当て（ＵＬ  ＴＣ  Ｔ／Ｆ２４４）、ＵＥ中心サウンディング参照信号（ＵＥ  ＳＲＳ２４６）、およびサウンディングチャネルリソース割り当てＵＥ  ＳＣ  Ｔ／Ｆ２４８が提供される。以下でより詳細に説明されるように、および、図２において示されるように、ＵＥ  ＤＣＩＤ２４０は、多くのアクティブ手順２０８、エコ手順２０６、および共通手順２０７にわたって使用される。例示的実施形態において、ＵＥシーケンス（ＵＥ  ＳＥＱ２４２）およびアップリンクトラッキングチャネルリソース（ＵＬ  ＴＣ  Ｔ／Ｆ２４４）割り当ては、主にエコ状態２０２において使用され、ＵＥサウンディング参照信号（ＵＥ  ＳＲＳ２４６）割り当ておよびサウンディングチャネルリソース（ＵＥ  ＳＣ  Ｔ／Ｆ２４８）割り当ては、主にアクティブ状態２０４において使用される。いくつかの実施形態において、ＵＥシーケンス（ＵＥ  ＳＥＱ２４２）およびアップリンクトラッキングチャネルリソース（ＵＬ  ＴＣ  Ｔ／Ｆ２４４）割り当ては、エコ状態２０２のみにおいて使用され、ＵＥサウンディング参照信号（ＵＥ  ＳＲＳ２４６）およびサウンディングチャネルリソース（ＵＥ  ＳＣ  Ｔ／Ｆ２４８）割り当ては、アクティブ状態２０４のみにおいて使用される。 
【００５１】
上述のように、グラントフリー伝送手順２１２は、アクティブ状態２０４およびエコ状態２０２の両方においてサポートされ得る。そのような手順は、例えば、動的シグナリングのオーバーヘッドが低い、小パケット伝送に有用であり得る。コントローラ１０６は、グラントフリー伝送に適切なトラフィックの種類を識別または判定する。図４、５、６および７は、グラントフリー伝送手順２１２の一部である一組の機能を示す。適切なグラントフリー伝送手順の態様は、上述の文書のうち１または複数において詳細に説明される。例えば、「Ｓｙｓｔｅｍ  ａｎｄ  Ｍｅｔｈｏｄ  ｆｏｒ  Ｓｍａｌｌ  Ｔｒａｆｆｉｃ  Ｔｒａｎｓｍｉｓｓｉｏｎｓ」と題する、２０１３年６月６日に出願された米国特許出願第１３／９１１，７１６号（公開番号ＵＳ  ２０１４／０１９２７６７  Ａ１）、および、「Ｓｙｓｔｅｍ  ａｎｄ  Ｍｅｔｈｏｄ  ｆｏｒ  Ｕｐｌｉｎｋ  Ｇｒａｎｔ−Ｆｒｅｅ  Ｔｒａｎｓｍｉｓｓｉｏｎ  Ｓｃｈｅｍｅ」と題する、２０１３年３月８日に出願された米国特許出願第ＵＳ  １３／７９０，６７３号（公開番号ＵＳ  ２０１４／０２５４５４４  Ａ１）を参照されたい。従って、図４−７および付属する説明は、大まかな概要を提供する。例示的実施形態において、ＵＥ  ＤＣＩＤ２４０は、（ダウンリンク伝送の場合）標的ＵＥ１０４を識別するために、または、（アップリンク伝送の場合）送信ＵＥを識別するために、グラントフリーのアップリンクおよびダウンリンク通信の両方において使用される。共有グラントフリーアップリンクデータチャネルおよび共有グラントフリーダウンリンクデータチャネルは、複数のＵＥによって使用され得て、その各々は、ネットワークエンティティ１１０と通信するために、アクティブ状態またはエコ状態にあり得る。 
【００５２】
図４は、論理エンティティ１１０が、ＵＬグラントフリー伝送チャネル（「ＵＬグラントフリー共有チャネル」）のための無線リソースについての情報をブロードキャストすること（動作４０１）、コントローラ１０６／論理エンティティ１１０が、ＵＬグラントフリー伝送チャネルにおいて受信されたデータに対してブラインド検出を実行すること（動作４０２）、データの復号化に成功すると、コントローラ１０６が、論理エンティティ１１０を通して、ＵＥ１０４へ確認応答メッセージ（ＡＣＫ）を送信すること（動作４０３）を含む、グラントフリーＵＬ伝送のための、コントローラ１０８によって可能となる、ネットワーク側の動作２１２Ａ−ＵＬを示す。
【００５３】
図５は、ＵＥ１０４がＵＬグラントフリー伝送モードを構成するために能力交換を実行すること（動作５０１）、ＵＥ１０４がブロードキャスト情報に基づいてグラントフリーリソースマッピングを取得すること（動作５０２）、ＵＥが予め構成された変調および符号化スキーム（ＭＣＳ）を用いて、予め定義されたリソースにおいて、（ＵＥ  ＤＣＩＤ２４０などのデバイス識別子と共に）データを送信すること（動作５０３）を含む、ＵＬグラントフリー伝送のためにＵＥ１０４によって実行される、対応するＵＥ側の動作２１２Ｂ−ＵＬを示す。ＵＥは、例えばＡＣＫタイマ満了など、初期伝送が失敗したことを判定すると、再伝送し得る（動作５０４）。
【００５４】
図６は、論理エンティティ１１０がＤＬグラントフリー伝送チャネル（「ＤＬグラントフリー共有チャネル」）についての情報をブロードキャストすること（動作６０１）、コントローラ１０６／論理エンティティ１１０は、予め構成されたＭＣＳを用いて、（指定されたＵＥのためのダウンリンクの場合に、ＵＥ  ＤＣＩＤ２４０などの標的デバイス識別子と共に）予め定義されたリソースにおいてデータを送信すること（動作６０２）、および、ＡＣＫタイマ満了に応じて、コントローラ１０６が再伝送し得ること（動作６０３）を含む、ＤＬグラントフリー伝送のためにコントローラ１０８によって可能となる、ネットワーク側の動作２１２Ａ−ＤＬを示す。
【００５５】
図７は、ＵＥ１０４が、ＤＬグラントフリー伝送モードを構成するために、能力交換を実行すること（動作７０１）、ＵＥ１０４が、ブロードキャスト情報に基づいてグラントフリーリソースマッピングを取得すること（動作７０２）、ＵＥ１０４が、ＤＬグラントフリー伝送チャネルにおいて受信されたデータに対してブラインド検出を実行すること（動作７０３）、および、データ復号化が成功すると、ＵＥ１０４がＡＣＫを送信すること（動作７０４）を含む、ＤＬグラントフリー伝送のためにＵＥ１０４によって実行される、対応するＵＥ側の動作２１２Ｂ‐ＤＬを示す。
【００５６】
上述のように、例示的実施形態において、計画的伝送手順２１４は、ＵＥアクティブ状態２０４のみにおいてサポートされる。図８および９はそれぞれ、計画的伝送手順２１４の一部として、ＵＥ機能２１４‐ＵＬおよび２１４‐ＤＬを示す。これらはそれぞれ、アップリンクおよびダウンリンク通信のためにＵＥ１０４によって実行される。計画的伝送手順は、上で示される文書のうちの１または複数において説明される。従って、図８および９では、概要を提供する。例示的実施形態において、ＵＬ計画的伝送は、フィルタリングされた直交周波数分割多重（ｆ−ＯＦＤＭ）を用いて適応型フレーム構造において発生し、ＵＬグラント情報は、ＵＥ１０４にサービスを提供するように最適化された制御チャネルを介して送信される。ＵＥ１０４において、ＵＬ計画的伝送は、ＵＥ１０４が、構成されたＵＥ  ＵＬフレーム構造のＵＬ制御チャネルにおいてスケジューリング要求を送信すること（動作８０１）、ＵＥ１０４が、構成されたＤＬフレーム構造のサブバンドにおいて、ＵＥ中心グラント制御チャネルをブラインド復号化すること（動作８０２）、および、ＵＥが、構成されたＵＥ  ＵＬフレーム構造のＵＬ共有データチャネルの付与されたリソースにおいてデータを伝送すること（動作８０３）などの動作を含む。
【００５７】
また、ＤＬ計画的伝送は、ｆ−ＯＦＤＭを用いる適応型フレーム構造において発生する。ＤＬグラント情報は、ＵＥにサービスを提供するように最適化されたＵＥ中心制御チャネルを介して送信される。図９において示されるように、ＵＥ１０４において、ＤＬ計画的伝送は、ＵＥ１０４が、構成されたＵＥ  ＤＬフレーム構造のサブバンドにおいてＵＥ中心ＤＬ制御チャネルをブラインド復号化すること（動作９９０）、および、ＵＥ１０４が、対応するＤＬフレーム構造の対応するＤＬ共有データチャネルにおいて、データを復号化すること（動作９９１）などの動作を含む。
【００５８】
上述のように、少なくともいくつかの実施形態において、ネットワーク指向測定手順２１６は、アクティブ状態２０４のみにおいてサポートされる。そのような手順によって、コントローラ１０６が、ＵＥ１０４のために、サービスを提供するＴＲＰ１０２を動的かつ柔軟に構成することが可能となる。適切なネットワーク指向測定手順２１６の態様は、「Ｓｙｓｔｅｍ  ａｎｄ  Ｍｅｔｈｏｄ  ｆｏｒ  Ｎｅｔｗｏｒｋ  Ｕｐｌｉｎｋ  Ｍｅａｓｕｒｅｍｅｎｔ  Ｂａｓｅｄ  Ｏｐｅｒａｔｉｏｎ  Ｕｓｉｎｇ  ＵＥ  Ｃｅｎｔｒｉｃ  Ｓｏｕｎｄｉｎｇ」と題する、２０１３年６月２８日に出願された、米国特許出願第１３／９３０，９０８号（公開番号ＵＳ  ２０１５／０００３２３６  Ａ１）において詳細に説明される。図１０は、例示的実施形態に従って、ネットワーク指向測定手順２１６の概要を提供する。初期アクセスのとき、ＵＥ１０４は、ＵＥ中心サウンディング参照信号（ＵＥ  ＳＲＳ）２４６、およびサウンディング無線リソースＵＥ  ＳＣ  Ｔ／Ｆ２４８を割り当てられる（動作１００１）。具体的には、この動作は、初期アクセス手順２１０の間に、以前に説明された動作３０６（図３）の一部として実行される。ネットワーク指向測定手順２１６の一部として、ＵＥサウンディング信号ＵＥ  ＳＲＳ２４６は、複数の近隣の伝送ポイント（ＴＰ）１０２によって受信される。ＤＬおよびＵＬ伝送は、ＵＬ測定によって補助され得て、ＤＬフィードバック要件が減らされ得る。これに関連して、図１０において示されるように、手順２１６は、コントローラ１０６が、割り当てられたＵＥ専用接続ＩＤおよびＵＥ１０４の位置に基づいて、ＵＥ中心ＳＲＳ（ＵＥ  ＳＲＳ２４６）およびチャネルリソース（ＵＥ  ＳＣ  Ｔ／Ｆ２４８）を構成すること（動作１００１）、ＴＲＰ１０２が、ＵＥ中心ＳＲＳ  ＵＥ  ＳＲＳ２４６を検出およびモニタリングすること（継続的に実行される動作１００２）、ＴＲＰ１０２が、ＵＥ１０４についての測定情報をコントローラ１０６にレポートすること（動作１００３）、コントローラ１０６が、ＵＥ‐ＴＲＰ関連表を生成および維持すること（動作１００４）、ならびに、コントローラ１０６が、ＵＥ‐ＴＲＰ関連表に基づいて、ＵＥ１０４のために最高のサービスを提供するＴＲＰ１０２を判定することを含む。動作１００１は、ＵＥ初期アクセスの一部として実行される。動作１００１、１００３、１００４および１００５は、アクティブ状態のＵＥのために継続的にネットワークコントローラ１０６によって実行される。
【００５９】
いくつかの例示的実施形態において、ＵＥ１０４は、アクティブ状態２０２の間のみ、サウンディングチャネルリソースＵＥ  ＳＣ  Ｔ／Ｆ２４８を使用して、サウンディングリソースシグナリングＵＥ  ＳＲＳ２４６を伝送するように構成される。しかしながら、いくつかの例示的実施形態において、ＵＥ１０６は、エコ状態２０２においてさえも、測定手順２１６をサポートするために必要となるシグナリングを提供し得る。 
【００６０】
図１１および１２はそれぞれ、ネットワークによって開始されるエコ‐アクティブ状態遷移手順２１８Ａと、ＵＥによって開始されるエコ‐アクティブ状態遷移手順２１８Ｂを示す。状態遷移手順の例は、上で示される文書のうちの１または複数において詳細に説明される。示されている例において、状態遷移は、コンテンションフリー、状態遷移のレイテンシを減らすためにＵＥ中心シーケンスを使用する。
【００６１】
例示的実施形態において、ネットワークによって開始される、エコからアクティブへの状態遷移手順２１８Ａは、ネットワークがＵＥ１０４へ送信するためのダウンリンクデータを有することを示す、ネットワークからＵＥ１０４へのメッセージによって、ＵＥ１０４がエコ状態にある間にトリガされる。そのような通知は、例えば、ダウンリンクデータの量が、グラントフリー共有チャネルにおいて効率的に送信され得るデータを超えるときに発生し得る。これに関連して、例示的実施形態において、無線通信ネットワーク１００は、ＤＬまたはページング通知をＵＥ１０４へ送信するために使用され得る低リソース共有ＤＬ通知チャネルを含む。いくつかの実施形態において、ＵＥ１０４は、初期アクセス手順２１０の一部として、ＤＬ通知チャネル割り当てを通知され得て、代替的に、ＤＬ通知チャネル割り当ては、ＵＥ１０４がエコ状態に入るときに発生し得て、代替的に、ＤＬ通知チャネル割り当ては、ＵＥの工場設定の一部として、または他のときに実行され得る。 
【００６２】
図１１に示されるように、例示的実施形態において、ネットワークによって開始されるエコからアクティブへの状態遷移手順２１８Ａは、以下のように、ＵＥ１０４において実行される動作１１０１−１１０５と、ネットワーク論理要素１１０およびネットワークコントローラ１０６によって実行される動作１１１１−１１１３を含む。ＵＥ１０４は、ＵＥ１０４がエコ状態にある間に、ページング／ＤＬデータ通知について、ＤＬ通知チャネルをモニタリングする（動作１１０１）。ネットワークコントローラ１０６が、ＤＬグラントフリー共有チャネルの容量を超える、ＵＥ１０４のダウンリンクデータを有すると判定するとき、ネットワークコントローラ１０６は、ネットワーク論理要素１１０に、ＤＬ通知チャネルにおいてＵＥ１０４のための通知を送信させる（動作１１１１）。例示的実施形態において、通知は、ＵＥ  ＤＣＩＤ２４０（または、ＵＥ  ＩＤなどのＵＥ  ＤＣＩＤのサブセットである、関連するＵＥ識別子）を使用してＵＥ１０４にアドレス指定され、アクティブ状態への遷移が必要であるという指示を含む。いくつかの実施形態において、状態遷移が必要であることを示すために、メッセージにおいてフラグまたはビットが設定され得て、他の例において、その指示は、メッセージにおいて黙示的である。ＵＥ１０４は、状態遷移を示すページング／ＤＬデータ通知メッセージを受信する（動作１１０２）。ＵＥ１０４は、定義されたＵＬリソースを使用する測定の目的で、ＵＥ中心シーケンス（ＵＥ  ＳＥＱ２４２）をネットワーク論理要素１１０へ送信する（動作１１０３）。いくつかの実施形態において、ＵＥ  ＳＥＱ２４２は、以下で説明されるように、トラッキング手順２２２において使用されるＵＬトラッキングチャネルにおいて送信される。いくつかの実施形態において、ＵＥ  ＳＥＱ  ２４２伝送は、具体的には、ＤＬデータ通知メッセージに応答して送信される。しかしながら、いくつかの実施形態において、ＵＥ１０４がエコ状態にあるときの間に、ＵＥ  ＳＥＱ  ２４２伝送が、ＵＥ１０４によってトラッキングメッセージとしてネットワークエンティティへ周期的に送信される。
【００６３】
論理エンティティ１１０における１または複数のＴＲＰは、ＵＥ  ＳＥＱ  ２４２伝送を受信する。ネットワークコントローラ１０６は、受信されたＵＥ  ＳＥＱ信号からの情報（例えば信号強度）を使用して、利用可能なネットワークリソースがダウンリンクデータ送信専用であることを確認し、アクティブ状態への遷移を開始するべきであることを確認するさらなるメッセージをＵＥ１０４へ送信させる（動作１１１２）。ＵＥ１０４は、ネットワーク論理要素１１０から応答を受信し（動作１１０４）、次に、ＵＥ１０４は、アクティブ状態に遷移する（動作１１０５）。次に、データダウンリンク手順２１４‐ＤＬが実行され得る（動作１１１３）。
【００６４】
図１２に示されるように、ＵＥによって開始される、エコからアクティブへの状態遷移手順２１８Ｂは、ＵＥがＵＥ中心シーケンスＵＥ  ＳＥＱ２４２をネットワーク論理要素１１０へ送信すること（動作１２０１）、ＵＥがネットワーク論理要素１１０から応答を受信すること（動作１２０２）、および、ＵＥがアクティブ状態に遷移すること（動作１２０３）を含む。
【００６５】
図１３は、ＵＥアクティブ状態２０４からＵＥエコ状態２０２へ移行するための状態遷移手順２２０を示す。アクティブからエコへの状態遷移は、アクティビティタイマ満了ＵＥ１０４によってトリガされ得る（手順１３０１）か、または、他の理由から、ネットワークによって開始され得る（手順１３０２）。タイマ満了手順１３０１の場合、以下の動作を例示的実施形態として取り上げる。ネットワークコントローラ１０６は、ＵＥアクティビティタイマを追跡する（動作１３１０）。ＵＥアクティビティタイマは、データ交換が無いことに起因して満了する（動作１３１２）。コントローラ１０６は、ネットワークに、より上位の層（例えば制御層）のシグナリングを介して、エコ状態へ遷移するための命令をＵＥ１０４へ送信させる（動作１３１４）。 
【００６６】
手順１３０２において、ネットワークコントローラ１０６は、エコ状態へのＵＥ遷移を事前に開始し（動作１３１６）、（例えば、無線リソース制御（ＲＲＣ）層において）より上位の層のシグナリングを介して、エコ状態へ遷移するための命令をＵＥ１０４へ送信する（動作１３１８）。 
【００６７】
上述のように、例示的実施形態において、トラッキング手順２２２は、エコ状態２０２のみにおいて実行される。適切なトラッキング手順は、「Ｓｙｓｔｅｍ  ａｎｄ  Ｍｅｔｈｏｄ  ｆｏｒ  ａ  Ｔｒａｃｋｉｎｇ  Ｃｈａｎｎｅｌ」と題する上述の文書（２０１６年１月２８日に出願された米国特許出願第１５／００９，６２６号）において詳細に説明される。エコ状態におけるトラッキング手順２２２は、コントローラ１０６によるＵＥ１０４のモニタリングを可能にし、少なくともいくつかの例において、上述のアクティブ状態ネットワーク指向測定手順２１６において使用されるより、少ないネットワークｔ／ｆリソースを使用する。とりわけ、そのようなエコ状態トラッキングは、少なくともいくつかの用途において、ＵＥ中心シーケンスを用いてコンテンションフリーの手順を促進すること、競合解除およびＲＮＴＩ割り当てを除くことによって応答時間を短縮すること、および、衝突を回避することによってランダムアクセスの容量を増やすことの特徴のうち１または複数を提供し得る。上述のように、初期アクセス手順の間、ＵＥ中心シーケンス（ＵＥ  ＳＥＱ２４２）は、ＵＥ１０４に割り当てられ、ＵＬトラッキングチャネルリソース（ＵＬ  ＴＣ  Ｔ／Ｆ２４４）はまた、ＵＥ１０４に割り当てされる。これらの割り当てられる特性は、ＵＥ１０４およびネットワークによって、トラッキング手順２２２のために使用される。これに関連して、図１４は、ネットワークコントローラ１０６が、ＵＥの種類および移動性情報に基づいて、ＵＥ中心シーケンス（ＵＥ  ＳＥＱ２４２）およびトラッキングチャネルリソース（ＵＬ  ＴＣ  Ｔ／Ｆ２４４）、ならびに周期を（再）構成すること（動作１４０１）、ＵＥ１０４が、割り当てられたトラッキングチャネルリソースを使用して、コンテンションフリーの方式で、ＵＥ中心シーケンス（ＵＥ  ＳＥＳ２４２）をネットワーク（論理エンティティ１１０）へ送信すること（動作１４０２）、ならびに、ＵＥがネットワーク（論理エンティティ１１０）から応答を受信することを含む、トラッキング手順２２２の概要を提供する。
【００６８】
上述のように、例示的実施形態において、ＤＬデータ通知手順２２４は、エコ状態２０２のみにおいて実行される。適切なＤＬデータ通知手順２２４は、「Ａｐｐａｒａｔｕｓ  Ａｎｄ  Ｍｅｔｈｏｄ  Ｆｏｒ  ａ  Ｗｉｒｅｌｅｓｓ  Ｄｅｖｉｃｅ  Ｔｏ  Ｒｅｃｅｉｖｅ  Ｄａｔａ  ｉｎ  ａｎ  Ｅｃｏ  Ｓｔａｔｅ」と題する上述の文書において詳細に説明される。ＤＬデータ通知手順２２４は、ＵＥが「エコ」状態２０２にあるとき、保留中のＤＬデータ伝送のＵＥ固有通知（指示）を提供し、および、（動的リソース割り当てが必要ないように）グラントフリー伝送手順２１２を使用して、エコ状態においてＤＬデータ伝送を促進するために使用され得る。これにより、データ伝送のための（予約され、予め構成された）無線リソースのセットを減らすことが可能となり得る。図１５は、ＤＬデータ通知手順２２４の概要を提供する。これは、エコ状態においてＵＥ１０４がＤＬデータ通知をモニタリングすること（動作１５０１）、任意で、ＵＥが追加の測定を送信すること（１５０２）、定義された期間の間、ＵＥが、グラントフリーＤＬチャネル上で、エコ状態にある間にＤＬデータを受信するように待機すること（動作１５０３）を含む、例示的実施形態における動作を提供する。
【００６９】
上述のように、登録解除手順２２６は、例示的実施形態において、両方のＵＥ状態においてサポートされる。登録解除は、ＵＥの電源オフ、または、登録タイマ満了の発生などのイベントによってトリガされ得る。登録タイマ満了は、例えば、トラッキング手順２２２などのデータアクティビティが予め定められた期間内に発生しないとき、ネットワーク側で発生し得るか、または、ＵＥ１０４が予め定められ期間の間、ネットワークから応答を受信しないとき、ＵＥ側で発生し得る。図１６Ａは、電源オフによる登録解除手順の概要を示す。これは、ＵＥ１０４が、電源オフ手順の一部として登録解除メッセージをネットワークエンティティ１１０へ送信するときに開始される（動作１６０２）。コントローラ１０６は、登録解除メッセージに応答して、ＵＥを登録解除する（動作１６０４）。図１６Ｂは、登録タイマ満了による登録解除手順を示す。これは、ネットワークまたはＵＥのいずれかにおいて登録タイマが満了するときに開始され（動作１６０６）、その結果、コントローラ１０６はＵＥを登録解除する（動作１６０８）。 
【００７０】
図１７は、ＵＥおよびネットワークデバイス、ならびに、本明細書において開示される方法を実装するために使用され得る処理システム９００のブロック図である。特定のデバイスは、示されるコンポーネントのすべてか、それらのコンポーネントのサブセットのみを使用し得、集積レベルはデバイス毎に変化し得る。さらに、デバイスは、複数の処理ユニット、プロセッサ、メモリ、伝送器、受信器、その他などの、コンポーネントの複数のインスタンスを含み得る。処理システム９００は、スピーカ、マイク、マウス、タッチスクリーン、キーパッド、キーボード、プリンタ、ディスプレイ、および同様のものなどの１または複数の入出力デバイスが設けられた処理ユニット９０１を備え得る。処理ユニット９０１は、中央処理ユニット（ＣＰＵ）９１０、メモリ９２０、大容量ストレージデバイス９３０、ネットワークインタフェース９５０、Ｉ／Ｏインタフェース９６０、および、バス９４０に接続されたアンテナ回路９７０を含み得る。また、処理ユニット９０１は、アンテナ回路に接続されたアンテナ要素９７５を含む。
【００７１】
バス９４０は、メモリバスもしくはメモリコントローラ、ペリフェラルバス、ビデオバス、または同様のものなどを含む、任意の種類の複数のバスアーキテクチャのうち１または複数であり得る。ＣＰＵ９１０は、任意の種類の電子データプロセッサを備え得る。メモリ９２０は、スタティックランダムアクセスメモリ（ＳＲＡＭ）、ダイナミックランダムアクセスメモリ（ＤＲＡＭ）、シンクロナスＤＲＡＭ（ＳＤＲＡＭ）、リードオンリメモリ（ＲＯＭ）、それらの組み合わせ、または同様のものなどの任意の種類のシステムメモリを備え得る。実施形態において、メモリ９２０は、ブートアップで使用するためのＲＯＭ、ならびに、プログラム実行中に使用するプログラムおよびデータを記憶するためのＤＲＡＭを含み得る。
【００７２】
大容量ストレージデバイス９３０は、データ、プログラム、および他の情報を記憶するように、ならびに、バス９４０を介して、データ、プログラム、および他の情報をアクセス可能にするように構成される任意の種類のストレージデバイスを備え得る。大容量ストレージデバイス９３０は、例えば、ソリッドステートドライブ、ハードディスクドライブ、磁気ディスクドライブ、光ディスクドライブ、または同様のもののうちの１または複数を備え得る。
【００７３】
Ｉ／Ｏインタフェース９６０は、外部の入出力デバイスを処理ユニット９０１に結合するためのインタフェースを提供し得る。Ｉ／Ｏインタフェース９６０は、ビデオアダプタを含み得る。入出力デバイスの例には、ビデオアダプタに結合されたディスプレイ、および、Ｉ／Ｏインタフェースに結合されたマウス／キーボード／プリンタが含まれ得る。他のデバイスは、処理ユニット９０１に結合され得て、より多くの、またはより少ないインタフェースカードが利用され得る。例えば、ユニバーサルシリアルバス（ＵＳＢ）（不図示）などのシリアルインタフェースは、プリンタのためのインタフェースを提供するために使用され得る。
【００７４】
アンテナ回路９７０およびアンテナ要素９７５は、処理ユニット９０１がネットワークを介してリモートユニットと通信することを可能にし得る。実施形態において、アンテナ回路９７０およびアンテナ要素９７５は、ロングタームエボリューション（ＬＴＥ）、符号分割多元接続（ＣＤＭＡ）、ワイドバンドＣＤＭＡ（ＷＣＤＭＡ（登録商標））、汎欧州デジタル移動電話方式（ＧＳＭ（登録商標））ネットワークなど、無線ワイドエリアネットワーク（ＷＡＮ）および／またはセルラネットワークへのアクセスを提供する。いくつかの実施形態において、アンテナ回路９７０およびアンテナ要素９７５はまた、他のデバイスへのＢｌｕｅｔｏｏｔｈ（登録商標）および／またはＷｉＦｉ（登録商標）接続を提供し得る。
【００７５】
また、処理ユニット９０１は、Ｅｔｈｅｒｎｅｔ（登録商標）ケーブル、または同様のものなどの有線リンク、および／または、アクセスノードもしくは種々のネットワークへの無線リンクを含み得る、１または複数のネットワークインタフェース９５０を有し得る。ネットワークインタフェース９０１は、処理ユニット９０１が、ネットワーク９８０を介してリモートユニットと通信できるようにする。例えば、ネットワークインタフェース９５０は、１または複数の伝送器／伝送アンテナ、および１または複数の受信器／受信アンテナを介して無線通信を提供し得る。実施形態において、処理ユニット９０１は、他の処理ユニット、インターネット、リモート記憶設備、または同様のものなどのリモートデバイスとの通信、およびデータ処理のために、ローカルエリアネットワークまたはワイドエリアネットワークに結合される。
【００７６】
本開示は、方法および処理を、特定の順序で段階的に説明するが、方法および処理のうちの１または複数の段階は、適宜、省略または変更され得る。１または複数の段階は、適宜、説明されているもの以外の順序で発生し得る。
【００７７】
本開示は、少なくとも部分的には、方法の観点から説明されているが、当業者であれば、本開示はまた、ハードウェアコンポーネント、ソフトウェア、または、その２つの任意の組み合わせのうち、いずれを用いる場合であれ、説明される方法の態様および特徴の少なくともいくつかを実行するための様々なコンポーネントを対象とすることを理解するであろう。従って、本開示の技術的解決法は、ソフトウェア製品の形式で具現化され得る。適切なソフトウェア製品は、例えば、ＤＶＤ、ＣＤ‐ＲＯＭ、ＵＳＢフラッシュディスク、リムーバブルハードディスク、または、他の記憶媒体を含む、予め記録されたストレージデバイスまたは他の同様の非揮発性もしくは非一時的コンピュータ可読媒体に記憶され得る。ソフトウェア製品は、処理デバイス（例えば、パーソナルコンピュータ、サーバ、またはネットワークデバイス）が、本明細書に開示される方法の例を実行することを可能にする、そこに有形的に記憶される命令を含む。例示的実施形態において、ＵＥ１０４、ＴＲＰ１０２、およびネットワークコントローラ１０６は各々、実行可能命令を有形的に記憶するメモリ９２０を含む。この命令は、ＣＰＵ９１０によって実行されるとき、ＵＥ１０４、ＴＰ１０２、またはネットワークコントローラ１０６に、上で説明された機能および手順を実行させる。 
【００７８】
本開示は、請求項の主題から逸脱することなく、他の特定の形式で具現化され得る。説明される例示的実施形態は、すべての点において、限定的なものではなく、単に例示的なものとみなされるべきである。上で説明される実施形態の１または複数から選択される特徴は、明示的に説明されない代替的な実施形態を形成するように組み合わされ得る。そのような組み合わせに適切な特徴は、この開示の範囲内にあると理解される。
【００７９】
開示される範囲における、すべての値および部分範囲も開示される。また、本明細書において開示され、示されるシステム、デバイス、および処理は、特定の数の要素／コンポーネントを備え得るが、システム、デバイス、およびアセンブリは、そのような要素／コンポーネントをより多く、または、より少なく含むように変更され得る。例えば、開示される要素／コンポーネントのいずれかは、単数形で言及され得るが、本明細書に開示される実施形態は、そのような要素／コンポーネントを複数含むように変更され得る。本明細書において説明される主題は、技術におけるすべての適切な変更を網羅および包含することを意図する。
（項目１）
少なくとも、第１セットの無線アクセス手順をサポートする第１動作状態と、第２セットの無線アクセス手順をサポートする第２動作状態との間で遷移することが可能なユーザ端末デバイスを操作するための方法であって、上記ユーザ端末デバイスが上記第１動作状態にある間に使用するための第１セットの無線アクセスパラメータ、および、上記ユーザ端末デバイスが上記第２動作状態にある間に使用するための第２セットの無線アクセスパラメータを確立するために、上記ユーザ端末デバイスが上記第１動作状態にある間に初期アクセス手順を実行する段階と、上記第１動作状態から上記第２動作状態に遷移し、上記第２セットの無線アクセスパラメータを使用して伝送する段階とを備える方法。
（項目２）
上記第１セットの無線アクセスパラメータおよび上記第２セットの無線アクセスパラメータを確立する段階は、上記ユーザ端末デバイスにおいて、上記第１セットの無線アクセスパラメータおよび上記第２セットの無線アクセスパラメータを無線ネットワークエンティティから受信する段階を有する、項目１に記載の方法。
（項目３）
上記無線アクセスパラメータは、上記第１動作状態および上記第２動作状態の両方において上記ユーザ端末デバイスが使用するためのユーザ端末識別子を含む、項目１に記載の方法。
（項目４）
上記第１セットの無線アクセスパラメータは、上記ユーザ端末デバイスのための、ユーザ端末サウンディング参照信号およびサウンディングチャネルリソース割り当てを含み、上記第２セットの無線アクセスパラメータは、上記ユーザ端末デバイスのための、ユーザ端末識別シーケンスおよびアップリンクトラッキングチャネルリソース割り当てを含む、項目１に記載の方法。
（項目５）
上記第１動作状態にある間に、上記ユーザ端末デバイスから周期的に伝送する段階であって、上記ユーザ端末サウンディング参照信号は、上記サウンディングチャネルリソース割り当てを使用する、段階と、上記第２動作状態にある間に、上記ユーザ端末デバイスから、上記アップリンクトラッキングチャネルリソース割り当てを使用して上記ユーザ端末識別シーケンスを伝送する段階であって、上記ユーザ端末識別シーケンスを周期的に伝送する上記段階は、上記ユーザ端末サウンディング参照信号を周期的に伝送する上記段階より、必要な無線ネットワークリソースが少ない、段階とを備える、項目４に記載の方法。
（項目６）
上記第１動作状態および上記第２動作状態の両方において、ダウンリンクグラントフリー伝送について、上記ユーザ端末デバイスにおいてモニタリングする段階を備える、項目１に記載の方法。
（項目７）
上記第１動作状態および上記第２動作状態の両方において、アップリンクグラントフリー伝送を上記ユーザ端末デバイスから送信する段階を備える、項目１に記載の方法。
（項目８）
上記ユーザ端末デバイスにおいて、上記第２動作状態から上記第１動作状態への、上記ユーザ端末デバイスの遷移を要求する、上記ユーザ端末デバイスのためのダウンリンクデータがあるというメッセージを、上記ユーザ端末デバイスによってモニタリングされるデータダウンリンクチャネル上で受信すると、上記第２動作状態から上記第１動作状態に遷移する段階と、上記第１動作状態にある間に、上記ダウンリンクデータを受信する段階とを備える、項目１に記載の方法。
（項目９）
上記メッセージは、上記ユーザ端末デバイスのための識別子を含むユニキャストメッセージと、状態遷移が必要であることを示すフラグとを有する、項目８に記載の方法。
（項目１０）
無線ネットワークにおいて動作するためのユーザ端末デバイスであって、上記無線ネットワークを通して無線周波数信号を送信および受信するための無線ネットワークインタフェースと、上記無線ネットワークインタフェースに結合されたプロセッサと、上記プロセッサに結合されたメモリであって、上記プロセッサによって実行されるときに、上記ユーザ端末デバイスに、予め定められたイベントが発生すると、第１セットの無線アクセス手順をサポートする第１動作状態と、第２セットの無線アクセス手順をサポートする第２動作状態との間で遷移すること、および、上記第１動作状態にある間に上記ユーザ端末デバイスが使用するための第１セットの無線アクセスパラメータと、上記第２動作状態にある間に上記ユーザ端末デバイスが使用するための第２セットの無線アクセスパラメータとを確立するために、上記ユーザ端末デバイスが上記第１動作状態にある間に、初期アクセス手順を実行することを行わせる実行可能命令を記憶する上記メモリとを備えるユーザ端末デバイス。
（項目１１）
上記ユーザ端末デバイスは、上記無線ネットワークを通してネットワークエンティティから上記ネットワークアクセスパラメータを上記ユーザ端末デバイスにおいて受信することによって、上記第１セットの無線アクセスパラメータおよび上記第２セットの無線アクセスパラメータを確立するように構成される、項目１０に記載のユーザ端末デバイス。
（項目１２）
上記無線アクセスパラメータは、上記第１動作状態および上記第２動作状態の両方において上記ユーザ端末デバイスが使用するためのユーザ端末識別子を含む、項目１０に記載のユーザ端末デバイス。
（項目１３）
上記第１セットの無線アクセスパラメータは、上記ユーザ端末デバイスのための、ユーザ端末サウンディング参照信号およびサウンディングチャネルリソース割り当てを含み、上記第２セットの無線アクセスパラメータは、上記ユーザ端末デバイスのための、ユーザ端末識別シーケンスおよびアップリンクトラッキングチャネルリソース割り当てを含む、項目１０に記載のユーザ端末デバイス。
（項目１４）
上記ユーザ端末デバイスは、上記第１動作状態にある間に、上記サウンディングチャネルリソース割り当てを使用して、上記ユーザ端末サウンディング参照信号を上記ユーザ端末デバイスから周期的に伝送し、上記第２動作状態にある間に、上記アップリンクトラッキングチャネルリソース割り当てを使用して、上記ユーザ端末識別シーケンスを上記ユーザ端末デバイスから周期的に伝送するように構成され、上記ユーザ端末識別シーケンスを周期的に伝送する上記段階は、上記ユーザ端末サウンディング参照信号を周期的に伝送する上記段階より、必要な無線ネットワークリソースが少ない、項目１３に記載のユーザ端末デバイス。
（項目１５）
上記ユーザ端末デバイスは、上記第２動作状態ではなく上記第１動作状態において上記サウンディングチャネルリソース割り当てを使用して上記ユーザ端末サウンディング参照信号を送信することによって、上記第１動作状態および上記第２動作状態の両方において、上記無線ネットワークインタフェースを通して常時オンの接続を提供し、上記第２動作状態にある間に、上記アップリンクトラッキングチャネルリソース割り当てを使用して上記ユーザ端末識別シーケンスを送信し、上記第１動作状態および上記第２動作状態の両方において、予め定義された閾値未満のデータについて、グラントフリーのアップリンクおよびダウンリンク伝送をサポートし、上記第２動作状態にある間に、第１動作状態への遷移の指示について、ダウンリンクデータ通知チャネルをモニタリングするように構成される、項目１３に記載のユーザ端末デバイス。
（項目１６）
上記ユーザ端末デバイスは、上記第１動作状態および上記第２動作状態の両方において、ダウンリンクグラントフリー伝送についてモニタリングするように構成される、項目１０に記載のユーザ端末デバイス。
（項目１７）
上記ユーザ端末デバイスは、上記第１動作状態および上記第２動作状態の両方において、アップリンクグラントフリー伝送を送信するように構成される、項目１０に記載のユーザ端末デバイス。
（項目１８）
上記ユーザ端末デバイスは、上記第２動作状態から上記第１動作状態への、上記ユーザ端末デバイスの遷移を要求する、上記ユーザ端末デバイスのためのダウンリンクデータがあるというメッセージを、上記ユーザ端末デバイスによってモニタリングされるデータダウンリンクチャネル上で受信すると、上記第２動作状態から上記第１動作状態に遷移し、上記第１動作状態の間に上記ダウンリンクデータを受信するように構成される、項目１０に記載のユーザ端末デバイス。
（項目１９）
上記メッセージは、上記ユーザ端末デバイスのための識別子を含むユニキャストメッセージと、状態遷移が必要であることを示すフラグとを備える、項目１８に記載のユーザ端末デバイス。
（項目２０）
無線ネットワークにおいて動作するネットワーク要素であって、上記無線ネットワークを通して１または複数のユーザ端末デバイスとの間で無線周波数信号を送信および受信するための無線ネットワークインタフェースと、上記無線ネットワークインタフェースに結合されたプロセッサと、上記プロセッサに結合されたメモリであって、上記プロセッサによって実行されるときに、上記ネットワーク要素に、第１動作状態において動作しているときにネットワークアクセスパラメータをユーザ端末デバイスに提供するための初期アクセス手順を実行することであって、上記ネットワークアクセスパラメータは、第２協調状態にある間に上記ユーザ端末デバイスが使用するためのユーザ端末識別シーケンスおよびアップリンクトラッキングチャネルリソース割り当てと、上記第１動作状態にある間に上記ユーザ端末デバイスが使用するためのユーザ端末サウンディング参照信号およびサウンディングチャネルリソース割り当てとを含む、実行することを行わせる実行可能命令を記憶する上記メモリとを備えるネットワーク要素。
【図１】
0006564883.tif 000002
【図２】
0006564883.tif 000003
【図３】
0006564883.tif 000004
【図４】
0006564883.tif 000005
【図５】
0006564883.tif 000006
【図６】
0006564883.tif 000007
【図７】
0006564883.tif 000008
【図８】
0006564883.tif 000009
【図９】
0006564883.tif 000010
【図１０】
0006564883.tif 000011
【図１１】
0006564883.tif 000012
【図１２】
0006564883.tif 000013
【図１３】
0006564883.tif 000014
【図１４】
0006564883.tif 000015
【図１５】
0006564883.tif 000016
【図１６Ａ】
0006564883.tif 000017
【図１６Ｂ】
0006564883.tif 000018
【図１７】
0006564883.tif 000019